(57)【要約】      （修正有）【課題】ベッドに横臥しながら操作しやすいようにタブレットやコンピュータを載置可能なベッド用ヘッドボードを提供する。【解決手段】ベッド用ヘッドボード１０は、ベッドに横臥している状態で視認する本、モバイル等の被視認物を載置する載置台３０と、載置台３０を支持するヘッドボード２０と、を備える。載置台３０は、底面板を備え、ヘッドボード１０は、底面板を挿入可能となるように水平方向に形成された溝２４（２４ｃ，２４ｄ）を有する背面ボード２１と、背面ボード２１の正面側に配置され、底面板を上面で支持する支持部材２３と、を備える。【選択図】図２
0003193567.tif 000002
【実用新案登録請求の範囲】
【請求項１】
ベッドに横臥している状態で視認する本、モバイル等の被視認物を載置する載置台と、前記載置台を支持するヘッドボードと、を備え、
前記載置台は、底面板を備え、
前記ヘッドボードは、前記底面板を挿入可能となるように水平方向に形成された溝を有する背面ボードと、前記背面ボードの正面側に配置され、前記底面板を上面で支持する支持部材と、を備えたことを特徴とするベッド用ヘッドボード。
【請求項２】
前記載置台の上面には、前記載置台が前記背面ボードの背面側へ移動するのを防止する第１移動防止部が設けられていることを特徴とする請求項１記載のベッド用ヘッドボード。
【請求項３】
前記第１移動防止部は、前記第１移動防止部の背端面と前記底面板の前端面の距離が、前記背面ボードの正面と前記支持部材の背面よりも長くなるように配置されてなることを特徴とする請求項２記載のベッド用ヘッドボード。
【請求項４】
前記第１移動防止部は、仕切板としての機能を有することを特徴とする請求項２又は３に記載のベッド用ヘッドボード。
【請求項５】
前記載置台の下面には、前記載置台が前記背面ボードの正面側へ移動するのを防止する第１位置決め部材が設けられていることを特徴とする請求項１から４のいずれか１項に記載のベッド用ヘッドボード。
【請求項６】
前記載置台の上面には、前記載置台を水平方向に９０°回転して配置した場合に、前記載置台が前記背面ボードの背面側へ移動するのを防止する第２移動防止部が設けられていることを特徴とする請求項３又は４に記載のベッド用ヘッドボード。
【請求項７】
前記第１移動防止部と前記第２移動防止部が同一部材であることを特徴とする請求項６に記載のベッド用ヘッドボード。
【請求項８】
前記載置台の下面には、前記載置台を水平方向に９０°回転して配置した場合に、前記載置台が前記背面ボードの正面側へ移動するのを防止する第２位置決め部材が設けられていることを特徴とする請求項１から７に記載のベッド用ヘッドボード。
【請求項９】
前記溝は、少なくとも前記底面板の幅より長く形成され、かつ、前記底面板の板厚より広く形成されている幅広溝が形成されていることを特徴とする請求項１から８のいずれか１項に記載のベッド用ヘッドボード。
【請求項１０】
前記溝は、前記幅広溝に隣接する前記底面板の板厚とほぼ同様幅に形成されている同一幅溝を有することを特徴とする請求項９記載のベッド用ヘッドボード。
【請求項１１】
前記幅広溝は、ヘッドボードの略中央に配置されていることを特徴とする請求項９又は１０記載のベッド用ヘッドボード。
【考案の詳細な説明】
【技術分野】
【０００１】
本考案は、ベッドに載置領域を設けるためのベッド用ヘッドボードに関する。
【背景技術】
【０００２】
従来、ベッドの頭部側に設けられるヘッドボードは、特許文献１に記載されているように、収納や単に物置としてのスペースを設ける技術は種々提案されている。
【０００３】
近年、スマートフォン、タブレット、ウルトラブック等軽量で横臥しながら操作可能なタブレットやコンピュータが普及している。そのため、ベッドに横たわりながらこれらを操作する人が増えている。
【先行技術文献】
【特許文献】
【０００４】
【特許文献１】特開２００６−６８４４２号公報
【考案の概要】
【考案が解決しようとする課題】
【０００５】
そこで、本考案は、上記課題を鑑みてなされたものであり、ベッドに横臥しながら操作しやすいようにタブレットやコンピュータを載置可能なベッド用ヘッドボードを提供することを目的とする。
【課題を解決するための手段】
【０００６】
本考案は、上述の目的を達成するために以下の手段を採った。
【０００７】
本考案にかかるベッド用ヘッドボードは、ベッドに横臥している状態で視認する本、モバイル等の被視認物を載置する載置台と、該載置台を支持するヘッドボードと、を備え、
前記載置台は、底面板を備え、
前記ヘッドボードは、前記底面板を挿入可能となるように水平方向に形成された溝を有する背面ボードと、前記背面ボード正面側に配置され、前記底面板を上面で支持する支持部材と、を備えたことを特徴とする。
【０００８】
かかる構成を採用することによって、載置台を溝と支持部で支持することができるため、ベッドに横臥した場合に、人間の頭部がある位置の近傍に載置台を配置することができる。そのため、例えば、仰向けの状態で横臥しながら容易に被視認物を視認し、かつ取り扱うことができる。
【０００９】
また、本考案にかかるベッド用ヘッドボードにおいて、前記載置台の上面には、前記載置台が前記背面ボードの背面側へ移動するのを防止する移動防止部が設けられていることを特徴とするものであってもよい。かかる構成を採用することによって、背面ボードの裏側へ載置台が入ってしまうことを防止でき、載置領域が狭くなることを防止することができる。支持部から外れて載置台が落下したりすることを防止することができる。
【００１０】
さらに、本考案にかかるベッド用ヘッドボードにおいて、前記移動防止部は、前記移動防止部の背面端と前記底面板の前端面の距離が、前記背面ボードの正面と前記支持部材の背面よりも長くなるように配置されてなることを特徴とするものであってもよい。かかる構成を採用することによって、背面ボードの裏側へ載置台が入ってしまうことを防止でき、載置台が支持部から外れて落下することを防止することができる。
【００１１】
さらに、本考案にかかるベッド用ヘッドボードにおいて、前記移動防止部は、仕切板としての機能を有することを特徴とするものであってもよい。かかる構成を採用することによって、仕切板をそのまま移動防止部として使用することができるため、あらためて、移動防止部を設ける必要がなくなる。
【００１２】
さらに、本考案にかかるベッド用ヘッドボードにおいて、前記載置台の下面には、前記載置台が前記背面ボードの正面側へ移動するのを防止する位置決め部材が設けられていることを特徴とするものであってもよい。かかる構成を採用することによって、載置台が正面側に落下する危険性を防止することができる。
【００１３】
さらに、本考案にかかるベッド用ヘッドボードにおいて、前記載置台の上面には、前記載置台を水平方向に９０°回転して配置した場合に、前記載置台が前記背面ボードの背面側へ移動するのを防止する第２移動防止部が設けられていることを特徴とするものであってもよい。かかる構成を採用することによって、載置台を９０°回転して配置することができ、ベッドの側方側に載置領域を設けることができるようになり、９０°に回転して配置した場合であっても載置台が背面ボードの背面側に押し込まれることを防止することができる。
【００１４】
さらに、本考案にかかるベッド用ヘッドボードにおいて、前記第１移動防止部と前記第２移動防止部が同一部材であることを特徴とするものであってもよい。かかる構成を採用することによって、あらためて第２移動用防止部を設ける必要がなくなる。
【００１５】
さらに、本考案にかかるベッド用ヘッドボードにおいて、前記載置台の下面には、前記載置台を水平方向に９０°回転して配置した場合に、前記載置台が前記背面ボードの正面側へ移動するのを防止する第２位置決め部材が設けられていることを特徴とするものであってもよい。かかる構成を採用することによって、載置台を９０°回転して配置した場合であっても、載置台が正面側に落下することを防止することができる。
【００１６】
さらに、本考案にかかるベッド用ヘッドボードにおいて、前記溝は、少なくとも前記底面板の幅より長く形成され、かつ、前記底面板の板厚より広く形成されている幅広溝が形成されていることを特徴とするものであってもよい。かかる構成を採用することによって、底面板を容易に背面ボード内に差し込むことができるようになる。
【００１７】
さらに、本考案にかかるベッド用ヘッドボードにおいて、前記溝は、前記幅広溝に隣接する前記底面板の板厚とほぼ同様幅に形成されている同一幅溝を有することを特徴とするものであってもよい。かかる構成を採用することによって、前述した移動用防止部や位置決め部材と組み合わさって、同一幅溝では載置台を取り外すことができなくなり、不意に載置台が外れることを防止することができる。
【００１８】
さらに、本考案にかかるベッド用ヘッドボードにおいて、前記幅広溝は、ヘッドボードの略中央に配置されていることを特徴とするものであってもよい。かかる構成を採用することによって、落下を防止した状態の載置台をベッドの両側に配置することができる。
【考案の効果】
【００１９】
本考案にかかるベッド用ヘッドボードによれば、ベッドに横臥しながら操作しやすいようにタブレットやコンピュータを載置可能なベッド用ヘッドボードを提供することができる。
【図面の簡単な説明】
【００２０】
【図１】図１は、実施形態にかかるベッド用ヘッドボード１０を配置したベッド１００を示す斜視図である。
【図２】図２は、実施形態にかかるベッド用ヘッドボード１０の斜視図である。
【図３】図３は、実施形態にかかるベッド用ヘッドボード１０の変形例を示す斜視図である。
【図４】図４は、実施形態にかかる載置台３０の構成を示す斜視図である。
【図５】図５は、実施形態にかかるベッド用ヘッドボード１０の使用例を示す斜視図である。
【図６】図６は、実施形態にかかるヘッドボード２０に載置台３０を配置する工程を示す斜視図である。
【図７】図７は、実施形態にかかるベッド用ヘッドボード１０の断面図である。
【考案を実施するための形態】
【００２１】
本考案にかかるベッド用ヘッドボード１０の実施形態について、図面を参照しつつ詳細に説明する。なお、以下に説明する実施形態及び図面は、本考案の実施形態の一部を例示するものであり、これらの構成に限定する目的に使用されるものではなく、本考案の要旨を逸脱しない範囲において適宜変更することができる。なお、各図において対応する構成要素には同一又は類似の符号が付されている。
【００２２】
（実施形態）
実施形態にかかるベッド用ヘッドボード１０を使用したベッド１００が図１に示されており、ベッド用ヘッドボード１０が図２に示されている。図２に示すように、実施形態にかかるベッド用ヘッドボード１０は、ヘッドボード２０と、載置台３０とを備えている。
【００２３】
ヘッドボード２０は、背面ボード２１と、この背面ボード２１を両側から支持する２枚の側面板２２と、この２枚の側面板２２の間に架設されている支持部材２３と、を備えている。
【００２４】
背面ボード２１には、背面ボード２１を貫通する水平の溝２４が形成されている。溝２４は、下面２４ａが同一平面からなる水平面に形成され、上面２４ｂが屈曲した平面に形成される。溝２４は、下面２４ａ及び上面２４ｂによって、後述する載置台３０の底面板３１の板厚と同一又はほぼ同様の幅に形成された同一幅溝２４ｃと、底面板３１の板厚より幅広に形成された幅広溝２４ｄとが形成される。幅広溝２４ｄは、底面板３１を挿入する部位となるため、底面板３１の長い辺の長さαよりも長く形成される。なお、本実施形態においては、幅広溝２４ｄは背面ボード２１の中央に形成しているが、必ずしも中央である必要なく、右側又は左側に設けてもよい。
【００２５】
支持部材２３は、載置台３０を上面に支持するための部材であり、背面ボード２１の正面側に間隔を開けて配置され、かつ前述した溝２４の下面２４ａと上面が同じ高さに形成される。本実施形態においては、背面ボード２１と支持部材２３との間に底面２５を設けて、収納領域を設けてある。しかしながら、支持部材２３の形態はこれらに限定するものではなく、例えば、図３に示すように単なる棒状部材で形成しても構わない。
【００２６】
載置台３０は、図４に示すように、主として、底面板３１と背面側への移動を防止する第１移動防止部３２及び位置決め部材３５、３６と、を備えている。底面３１は、奥行きが背面ボード２１と支持部材２３の距離より若干長く形成され、横幅が奥行きに対して長く形成される。第１移動防止部３２は、底面板３１が溝に深く入り込んで支持部材２３から落下することを防止するための部材である。単なる突起物でも構わないが、本実施形態においては、底面板３１の両側に配置された仕切板を第１移動防止部３２として兼用している。第１移動防止部３２は、第１移動防止部３２の背面端３２ａと底面板３１の前端面３１ａとの水平距離βが、背面ボード２１の正面と支持部材２３の背面との水平距離δ（図１参照）よりも長くなるように形成される。さらに、底面板３１には、裏面に載置台３０が正面側へ移動するのを防止する第１位置決め部材３５が設けられている。第１位置決め部材３５は、載置台３０が正面側へ移動して底面板３１が溝２４から外れて落下するのを防止するための部材である。第１位置決め部材３５は、第１移動防止部３２の背面端３２ａと第１位置決め部材３５の正面端部３５ａの距離γが、背面ボード２１の正面と支持部材２３の背面との距離δと同じ距離となるように配置するとよい。かかる構成を採用することによって、底面板３１が第１移動防止部３２及び第１位置決め部材３５によって前後両方が位置決めされることになるため、載置台３０が前後に移動することを防止することができる。
【００２７】
また、載置台３０は、図５に示すように、載置台３０を水平方向に９０°回転して配置した際にも、溝２４と支持部材２３で載置台３０の前後方向を固定することができるように、第２移動防止部３３と第２位置決め部材３６が配置されている。本実施形態においては、仕切板が第２移動防止部３３を兼用しており、仕切板の側面で移動を防止するようにしている。本実施形態においては、第１移動防止部３２と第２移動防止部３３のいずれも仕切板で兼用するように形成している。勿論それぞれ別に底面板３１に設けても構わない。
第２移動防止部３３及び第２位置決め部材３６によって、載置台３０は水平方向に９０°回転して配置した場合であっても前後方向に移動しないように固定される。なお、第２位置決め部材３６が２つあるのは、反対方向に９０°回転させた場合であっても前後方向に移動しないように位置決めするためのものである。
【００２８】
さらに、載置台３０の底面板３１の上面には図２に示すように、任意に本やモバイル等を立て掛けた状態で底部を保持することができるように保持部材３９を設けてもよい。保持部材は、図２に示すように円柱状の突起でもよいし、板状に形成してもよく、特に限定するものではない。
【００２９】
以上のように作製したベッド用ヘッドボード１０は、ベッドに隣接配置されて使用される。載置台３０は、図６に示すように、ヘッドボード２０の幅広溝２４ｄの部分から底面板３１を斜めに挿入し、第１位置決め部材３５が支持部材２３の内側に配置されるようにして嵌め込む。これにより、載置台３０がヘッドボード２０に配置されて、溝２４及び支持部材２３に支持され載置領域が形成され、タブレットやコンピュータ等を配置して使用することができる。この状態で載置台は、第１移動防止部３２及び第１位置決め部材３５によって前後方向の移動が防止されているため、安定した状態で使用することができる。また、図３に示すように、この状態から載置台３０を横方向にスライドし、底面板３１を同一幅溝２４ｃに移動することで、同一幅溝２４ｃに挿入された底面板３１は、図７に示すように第１移動防止部３２及び第１位置決め部材３５によって、矢印の方向へ回転させることができなくなる。そのため、載置台３０は、水平方向以外の移動が防止され、載置台３０はヘッドボード２０から取り外せなくなる。このため、さらに安定した載置領域を設けることができる。
【００３０】
さらに、本実施形態にかかるベッド用ヘッドボードは、図５に示すように、水平方向へ９０°回転して配置することもできる。配置する方法は上述した方法と同様であるので省略する。このように９０°回転した方向に配置することで、底面板３１の横幅が長く形成されているので、支持部材２３よりベッド側に底面板３１が延出した状態で配置されることになる。このように底面板３１が長く延出した状態で配置された場合であっても、溝２４と第２移動防止部３３及び第２位置決め部材３６によって水平方向以外の移動が防止されるので、重量物を載置しても載置台３０が外れることが防止できる安定した載置領域を提供することができる。また、こうした配置を採用することで、載置領域がベッド側まで延出されるので、横臥した状態で、顔の横に載置領域が形成されるので、うつ伏せ状態になることなく本やモバイルを使用することができるようになる。
【００３１】
なお、本考案は上述した実施形態に何ら限定されることはなく、本考案の技術的範囲に属する限り種々の態様で実施し得ることはいうまでもない。
【産業上の利用可能性】
【００３２】
上述した実施の形態で示すように、ベッドの載置領域を形成するヘッドボードとして産業上利用することができる。
【符号の説明】
【００３３】
１０…ベッド用ヘッドボード、２０…ヘッドボード、２１…背面ボード、２２…側面板、２３…支持部材、２４…溝、２４ａ…下面、２４ｂ…上面、２４ｃ…同一幅溝、２４ｄ…幅広溝、２５…底面、３０…載置台、３１…底面板、３１ａ…前端面、３２…第１移動防止部、３２ａ…背面端、３３…第２移動防止部、３５…第１位置決め部材、３５ａ…正面端部、３６…第２位置決め部材、３９…保持部材、１００…ベッド
【図１】
0003193567.tif 000003
【図２】
0003193567.tif 000004
【図３】
0003193567.tif 000005
【図４】
0003193567.tif 000006
【図５】
0003193567.tif 000007
【図６】
0003193567.tif 000008
【図７】
0003193567.tif 000009